(57)【要約】【課題】  正常な足骨格の成長を促すために、子供の成長時期に合わせた子供履き物中敷き、およびこれを内蔵した子供用履き物を提供する。【解決手段】  中敷きの足に接触する面に、横アーチＣ３、内側縦アーチＣ４、外側縦アーチＣ５を保持するする凸形状、および踵および中足部７３から後足部７５を保持するヒールカップ部Ｃ１５により、子どもの足の成長段階に適合した形状による子供履き物用中敷き、およびこれを内蔵した子供用履き物による。【選択図】図１
2005110774.tif 000002
【特許請求の範囲】
【請求項１】
足の基本骨格を構成するアーチにおいて、中敷きの足に接触する面に、横アーチ、内側縦アーチを整える凸形状の横アーチ部、内側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
各々の高さは、子どもの足の成長段階に適合したもので、
横アーチ部は、足裏面から軟部組織を圧迫するが、第１中足骨から第５中足骨で構成される足骨格の横アーチを矯正しない程度の高さと形状で、
内側縦アーチ部は、足裏面から中足部を軽度圧迫する程度で、足骨格に影響を与えない高さと形状で、
ヒールカップ部は、主に踵を垂直に支持するような幅と深さにより構成されていることを特徴とする子供履き物用中敷き。
【請求項２】
足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを整える程度の高さと形状で、
内側縦アーチ部は、足裏面から中足部を軽度圧迫する程度で、中足部を構成する骨格を整える程度の高さと形状で、
外側縦アーチ部は、足裏面から後足部を軽度圧迫する程度で、後足部を構成する骨格を整える程度の高さと形状で、
ヒールカップ部は、主に踵を垂直に支持するような幅と深さにより構成されていることを特徴とする子供履き物用中敷き。
【請求項３】
足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを保持する程度の高さと形状で、
内側縦アーチ部は、足裏面から中足部を軽度圧迫する程度で、中足部を構成する骨格を保持する程度の高さと形状で、
外側縦アーチ部は、足裏面から後足部を軽度圧迫する程度で、後足部を構成する骨格を保持する程度の高さと形状で、
ヒールカップ部は、踵を垂直に支持し、後足部を支持するような幅と深さにより構成されていることを特徴とする子供履き物用中敷き。
【請求項４】
足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを保持して骨格の崩れを防止する程度の高さと形状で、
内側縦アーチ部は、足裏面から中足部を軽度圧迫する程度で、中足部を構成する骨格を保持して骨格の崩れを防止する程度の高さと形状で、
外側縦アーチ部は、足裏面から後足部を軽度圧迫する程度で、後足部を構成する骨格を保持して骨格の崩れを防止する程度の高さと形状で、
ヒールカップ部は、踵を垂直に支持し、後足部を支持するような幅と深さにより構成されていることを特徴とする子供履き物用中敷き。
【請求項５】
これらの子ども履き物用中敷きは、２層構造からなり、表が生地、合成皮革または天然皮革からなると共に、裏が弾性体またはコルクからなる基材で構成されていることを特徴とする請求項１〜４の何れかに記載の子供履き物用中敷き。
【請求項６】
成長する子供足に一層適合させるためのサイズ微調整のために、各成長段階別のサイズ毎の履き物用中敷きに、この平面投影図とほぼ同じ寸法のサイズ調整シートを備えていることを特徴とする請求項１〜４の何れかに記載の子供履き物用中敷き。
【請求項７】
請求項１から４までの特徴を有する、子ども履き物用中敷きを内蔵したことを特徴とする子供用履き物。
【発明の詳細な説明】
【技術分野】
【０００１】
この発明は、子供の足の成長段階に適合した、子供履き物用中敷き、およびこれを使用した子供用履き物に関する。
【背景技術】
【０００２】
従来、子供用の中敷きは、一つの型をサイズによって等倍比率（グレーディング）で大小を決めていたが、成長する子供の足の各時期に適合した中敷き、およびこれを使用した履き物が適合せず、足の正しい成長に合わせることができない。
【０００３】
子供の足骨格の成長において、その骨の数は、出生時から２歳程度までは成人の半分程度で、８〜１０歳程度に至り初めて骨の数は全て出現するが、まだ骨は未熟で完成されていない。
【０００４】
足は全体重を支える重要な部位であり、足裏面に接触する履き物用中敷きは、その形状によって直接的に足骨格に影響を及ぼすことは、成人の足と言えども柔軟性を有する足の特徴により明らかである。
【０００５】
さらに成長期にある子供の足は、成人に比較して非常に柔軟性に富み、各成長段階に適合した中敷きを使用しなければ、その後の足の成長に悪影響を及ぼすことが知られており、すでに欧米では小児検診の項目に、足の診断が組み入れられているが、我が国ではこうした足に関する制度が遅れ、子供の足の発達について省みられることは少なく、靴製造業者や中敷き製造業者においても同様である。
【０００６】
従って、子供履き物用靴中敷きの設計には、簡単に一つの原型から等倍比率（グレーディング）によって大小サイズを決めており、この原因として、子供の足の成長を正しく理解しておらず、また設計コストの低減のためと言える。
【０００７】
また、足の基本骨格を構成する３つのアーチ、すなわち、横アーチ、内側縦アーチ、外側縦アーチを補強する横アーチパッド、内側縦アーチパッド、外側縦アーチパッドを一体型にした靴中敷きが知られている（特許文献１）。
【特許文献１】特開平９−２２４７０３号公報
【発明の開示】
【発明が解決しようとする課題】
【０００８】
ところで、上述した横アーチパッド、内側縦アーチパッド、外側縦アーチパッドを一体型にした靴中敷きは、成人向けに設計されており、子供用に使用とすれば、等倍比率（グレーディング）によって大小サイズを決められるため、子供の足の成長段階に適合した履き物用中敷き、またはこれを使用した履き物を正しく使用しないことによる、軽微な足の問題を始め、小児足部疾患の発生についても、問題となっているところである。
【０００９】
この発明は上述の課題を解決するためになされたもので、その目的は子供の足の成長段階に適合した中敷き、およびこれを使用した履き物によって、未成熟な骨および骨格を整え、状態を保持し、不用意な骨格動揺に対してその構造を支持し、骨出現の完成に至っては、その後の足の問題や小児足部疾患の防止のために、骨格を保持して骨格の崩れを防止することにより、健やかなる子供の足の成長を促すことを目的とする。
【課題を解決するための手段】
【００１０】
請求項１によるこの発明の子供履き物用中敷きは、足の基本骨格を構成するアーチにおいて、中敷きの足に接触する面に、横アーチ、内側縦アーチを整える凸形状の横アーチ部、内側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫するが、第１中足骨から第５中足骨で構成される足骨格の横アーチを矯正しない程度の高さと形状で、
内側縦アーチ部は、足裏面から中足部を軽度圧迫する程度で、足骨格に影響を与えない高さと形状で、
ヒールカップ部は、主に踵を垂直に支持するような幅と深さにより構成されていることを特徴とするものである。
【００１１】
請求項２によるこの発明の子供履き物用中敷きは、足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを整える程度の高さと形状で、
内側縦アーチ部は、足裏面から中足部を軽度圧迫する程度で、中足部を構成する骨格を整える程度の高さと形状で、
外側縦アーチ部は、足裏面から後足部を軽度圧迫する程度で、後足部を構成する骨格を整える程度の高さと形状で、
ヒールカップ部は、主に踵を垂直に支持するような幅と深さにより構成されていることを特徴とするものである。
【００１２】
請求項３によるこの発明の子供履き物用中敷きは、足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを保持する程度の高さと形状で、
内側縦アーチ部は、足裏面から中足部を軽度圧迫する程度で、中足部を構成する骨格を保持する程度の高さと形状で、
外側縦アーチ部は、足裏面から後足部を軽度圧迫する程度で、後足部を構成する骨格を保持する程度の高さと形状で、
ヒールカップ部は、踵を垂直に支持し、後足部を支持するような幅と深さにより構成されていることを特徴とするものである。
【００１３】
請求項４によるこの発明の子供履き物用中敷きは、足の基本骨格を構成する３つのアーチにおいて、中敷きの足に接触する面に、横アーチ、内側縦アーチ、外側縦アーチを整える凸形状の横アーチ部、内側縦アーチ部、外側縦アーチ部と、踵および中足部から後足部を支持するヒールカップ部が施され、
横アーチ部の形状は、足裏形状に適合する形状で、大きさは、幅が第２中足骨から第４中足骨程度で、長さが第２中足骨骨頭から第４中足骨骨頭より後の第２中足骨から第４中足骨の長軸程度までで、
内側縦アーチ部の形状は、足裏形状に適合する形状で、大きさは、幅が足部内側縁から足部の幅の半分程度で、長さは第１中足骨骨頭の後から踵骨の半分程度までで、
外側縦アーチ部の形状は、足裏形状に適合する形状で、大きさは、幅が第５中足骨の横幅程度で、長さは第５中足骨骨底部から踵骨中央部程度で、
ヒールカップ部の形状は、第１中足骨骨頭の後から踵骨の後を通って、第５中足骨骨頭の後まで外周を盛り上げた構造になっており、
これらの形状が互いに滑らかな曲面でつながっており、
横アーチ部は、足裏面から軟部組織を圧迫し、第１中足骨から第５中足骨で構成される足骨格の横アーチを保持して骨格の崩れを防止する程度の高さと形状で、
内側縦アーチ部は、足裏面から中足部を軽度圧迫する程度で、中足部を構成する骨格を保持して骨格の崩れを防止する程度の高さと形状で、
外側縦アーチ部は、足裏面から後足部を軽度圧迫する程度で、後足部を構成する骨格を保持して骨格の崩れを防止する程度の高さと形状で、
ヒールカップ部は、踵を垂直に支持し、後足部を支持するような幅と深さにより構成されていることを特徴とするものである。
【００１４】
請求項５によるこの発明の子供履き物用中敷きは、請求項１〜４の何れかに記載の子供履き物用中敷きにおいて、これらの子ども履き物用中敷きは、２層構造からなり、表が生地、合成皮革または天然皮革からなると共に、裏が弾性体またはコルクからなる基材で構成されていることを特徴とするものである。
【００１５】
請求項６によるこの発明の子供履き物用中敷きは、請求項１〜４の何れかに記載の子供履き物用中敷きにおいて、成長する子供足に一層適合させるためのサイズ微調整のために、各成長段階別のサイズ毎の履き物用中敷きに、この平面投影図とほぼ同じ寸法のサイズ調整シートを備えていることを特徴とするものである。
【００１６】
請求項７によるこの発明の履き物は、請求項１による形状で、請求項２から５までの特徴を有する、子供履き物用中敷きを内蔵したことを特徴とするものである。
【発明の効果】
【００１７】
以上のごとき課題を解決するための手段から理解されるように、請求項１の発明によれば、概ね０〜２歳を対象とした履き物用中敷きであるが、歩行の際の足全体の安定性を増進させ、特に踵を垂直に支持して、足の内反および外反など、不用意な運動を抑制することにより、今後、足骨格を構成する他の骨の出現に対して、正常な足形状と骨格成長を助長させる。
【００１８】
請求項2の発明は、概ね３〜５歳を対象とした履き物用中敷きであるが、歩行の際の足全体の安定性を増進させ、特に踵を垂直に支持して、足の内反および外反など、不用意な運動を抑制することにより、今後、足骨格を構成する他の骨の出現に対して、正常な足形状と骨格成長を助長させる。
【００１９】
請求項3の発明は、概ね６〜７歳を対象とした履き物用中敷きであるが、歩行の際の足全体の安定性を増進させ、特に踵を垂直に支持して、足の内反および外反など、不用意な運動を抑制することにより、足骨格を構成する骨の発達に対して、正常な足形状と骨格成長を助長させる。
【００２０】
請求項４の発明は、概ね８〜１０歳を対象とした履き物用中敷きであるが、歩行の際の足全体の安定性を増進させ、特に踵を垂直に支持して、足の内反および外反など、不用意な運動を抑制することにより、足骨格を構成する骨の発達に対して、正常な足形状と骨格成長を助長させ、また骨格的には成人の小型ができ上がっているため、足部疾患の発生を回避し、成人に至るまでの正常な足の発達を助長する。
【００２１】
請求項５の発明は、これらの子供履き物用中敷きは、２層構造からなり、表が生地、合成皮革または天然皮革からなると共に、裏が弾性体またはコルクからなる基材で構成されているので、適度な硬度によって歩行または走行時のショックを和らげ、足裏形状と中敷き表面形状の微妙な差異についても、荷重が集中する部位の中敷きが圧縮されることにより、適合度および快適性が向上する。
【００２２】
請求項６の発明は、各成長段階別履き物用中敷きの下に挿入して使用するサイズ調整シートであるが、成長によって履き物がきつくなった時点で、サイズ調整シートを抜き去ると、例えば０．５ｃｍ刻みの微調整ができ、成長する子供足に一層適合した履き物を使用させることができる。
【００２３】
請求項７の発明は、請求項１から４までの特徴を有する、子供履き物用中敷きを内蔵した子供用履き物を使用することにより、中敷きと履き物が合一して、足の安定や歩行推進力の効率的な伝達を行い、足の疲労軽減や保護に役立ち、履き物で足が固定されることによって、中敷きが有する凸形状が、足裏の的確な部位に接触し、設計が意図する効果を正確に発揮する。
【発明を実施するための最良の形態】
【００２４】
人体の骨は出生時すなわち、０〜２歳では図１０（Ａ）、（Ｂ）、（Ｃ）に示すごとく、全ての骨が出現しているわけではなく、３〜５歳では図１１（Ａ）、（Ｂ）、（Ｃ）に示すごとく、成長し、６〜７歳では図１２（Ａ）、（Ｂ）、（Ｃ）に示すごとく、成長し、さらに、８〜１０歳では図１３（Ａ）、（Ｂ）、（Ｃ）に示すごとく、成長して図１４に示すように成人とほぼ同数の数が揃うが、その骨は未成熟であり、骨成長の特徴として、図１５のごとく、例えば長管骨（細長いパイプ状の骨）の成長は、最初に骨幹部７９が出現し、次に両端の骨端部７７が出現して、その間隙は成長線と呼ばれる骨端軟骨８１となっており、この骨端軟骨８１の完全な骨性癒合は男は１８〜２２歳、女は１６〜２０歳とされ、この年齢に至る成長過程における骨端軟骨８１の構造的強度は、他の骨化した部分と比較すると脆弱であり、成長期に骨端軟骨８１を損傷すると、その後の骨成長に障害を生じる。
【００２５】
子供の足に対する市販の履き物用中敷きを概観するに、成人用と同様の急峻なアーチ構造を有する中敷きを散見するが、これは大きな間違いである。
【００２６】
なぜならば、こうした中敷きは、整形外科の治療法の一つである足底板療法の理論に基づいており、これは履き物用中敷きに近似した形状を用いて、そのアーチの凸構造が足裏を圧迫すると、軟部組織を介し、自分の体重を利用して骨格構造を矯正するという理論に基づいた設計になっているが、図１０（Ａ）、（Ｂ）、（Ｃ）および図１１（Ａ）、（Ｂ）、（Ｃ）に示すように、概ね３〜５歳程度までの子供の足には、矯正しようとする足の骨すら、未だ出現していないためである。
【００２７】
人体発達学、および解剖学的検討もなしに、ただ成人用の足底板療法に用いる医療器具である足底板の形状を模倣して、これを小型化し、子供用として製造および販売することは、健やかなる子供の足の成長にとって著しく危険である。
【００２８】
成人用と同様の急峻なアーチ構造が不必要な理由としては、成人の足には、筋肉や靭帯などの足骨格を保持するための組織が完成されており、基本的には足裏からの中敷きによる支持や矯正を必要としないが、長時間の起立や歩行、または筋肉や靭帯の弛緩による足骨格の崩れなどに対処するため、図１のごとく、中敷きのアーチの凸形状による足裏からの圧迫で、足の骨格構造を保持することが必要となることが多く、この場合、足裏の脂肪層が薄く、平らな面と間隙を生じるため、これを埋める必要性を生じるが、子供の足は足裏の脂肪層が厚く、ある程度アーチクッションの役割を果し、足骨格を保持する筋肉や靭帯の代償として働くためである。
【００２９】
しかしながら、子供の足を構成する骨、筋肉、靭帯などの組織は未成熟であり、立位、歩行、走行における安定性と足部剛性は、成人に比較して著しく脆弱であるため、的確な保持および支持が必要であり、さらには軽微な足の諸問題や小児足部疾患を回避するため、ある程度の矯正的効果も視野に入れる必要がある。
【００３０】
こうした人体発達学、および解剖学的知見を鑑みて、子供の足の成長段階に適合した履き物用中敷き、およびこれを使用した履き物を提供するため、各々の足の成長段階に応じた特徴を次から説明する。
【００３１】
図１に示すように、足骨格の基本構造である３アーチを構成する骨については、横アーチＣ３は、第１中足骨１７、第２中足骨１９、第３中足骨２１、第４中足骨２３、第５中足骨２５からなり、内側縦アーチＣ４は、第１中足骨頭２９、第１楔状骨９、舟状骨７、踵骨３からなり、外側縦アーチＣ５は、第５中足骨底部２７、立方骨１５、踵骨３からなる。
【００３２】
図１０（Ａ）、（Ｂ）、（Ｃ）に示すように、概ね０〜２歳程度の足骨格を構成するのは、第１末節骨５３、第１基節骨４３、第２末節骨５７、第２中節骨５５、第２基節骨４５、第３末節骨６１、第３中節骨５９、第３基節骨４７、第４末節骨６５、第４中節骨６３、第４基節骨４９、第５末節骨６９、第５中節骨６７、第５基節骨５１、第１中足骨１７、第２中足骨１９、第３中足骨２１、第４中足骨２３、第５中足骨２５、距骨１、踵骨３であるが、各々の骨の骨端部はまだ出現しておらず、特に中足部７３〜後足部７５を構成する第１楔状骨９、第２楔状骨１１、第３楔状骨１３、舟状骨７、立方骨１５が出現していなことが特徴である。
【００３３】
従って、図２および図３（Ａ）、（Ｂ）、（Ｃ）、（Ｄ）に示すように、足骨格の基本構造である３アーチを構成する骨のうち、
内側縦アーチＣ４を構成する第１楔状骨９と舟状骨７の骨出現がないため、内側縦アーチＣ４については過度な圧迫は不要であり、ゆるやかな圧迫により、足が内倒れしない程度の機能が要求され、
横アーチＣ３については、第１中足骨１７〜第５中足骨２５間を連結する靭帯や筋肉が未発達であるため、アーチが形成されず、扁平状の骨配列となるため過度な圧迫は不要であり、内側縦アーチＣ４から連続する緩やかな凸形状によって、今後、横アーチＣ３が形成される準備を行わせ、
外側縦アーチＣ５については、これを構成する第５中足骨底部２７が未成熟であり、アーチの頂点となる立方骨１５の出現も未だないため、骨配列を整えるための凸形状は不要である。
【００３４】
立位および歩行時に重要となる踵、つまり踵骨３が未発達であるため、非常に不安定なものとなり、足全体の支持が不十分となるので、ヒールカップ部Ｃ１５によって、踵骨３を垂直に支持し、後足部７５を支持することが必要である。
【００３５】
図１１（Ａ）、（Ｂ）、（Ｃ）に示すように、概ね３〜５歳程度の足骨格を構成するのは、第１末節骨５３、第１基節骨４３、第２末節骨５７、第２中節骨５５、第２基節骨４５、第３末節骨６１、第３中節骨５９、第３基節骨４７、第４末節骨６５、第４中節骨６３、第４基節骨４９、第５末節骨６９、第５中節骨６７、第５基節骨５１、第１中足骨１７、第２中足骨１９、第３中足骨２１、第４中足骨２３、第５中足骨２５、第１楔状骨９、立方骨１５、距骨１、踵骨３であるが、前足部７１および中足部７３を構成する骨の骨端部７７が出現し、第２楔状骨１１、第３楔状骨１３、舟状骨７が出現していなことが特徴である。
【００３６】
従って、図４および図５（Ａ）、（Ｂ）、（Ｃ）、（Ｄ）に示すように、足骨格の基本構造である３アーチを構成する骨のうち、
内側縦アーチＣ４を構成する舟状骨７が出現していないが、第１楔状骨９は出現しているため、内側縦アーチ部Ｃ１１による、ゆるやかな圧迫によって骨配列を整えることにより、今後の骨成長および骨配列を正しく誘導し、足が内倒れしない機能が要求され、
横アーチＣ３については、第１中足骨１７〜第５中足骨２５間を連結する靭帯や筋肉が未発達であるものの、すでに骨端部７７が出現し始めているため、横アーチ部Ｃ９により軽度の圧迫を加えて、横アーチＣ３の正しい形成を促進させ、
外側縦アーチＣ５については、これを構成する立方骨１５が出現しているので、骨配列を整えるための外側縦アーチ部Ｃ１３の軽度の圧迫により、足が外倒れしない機能が要求され、内側縦アーチ部Ｃ１１と外側縦アーチ部Ｃ１３が足を両側から挟み込むようにして、安定性を増加させることが必要である。
【００３７】
立位および歩行時に重要となる踵、つまり踵骨３は、ある程度、発達してきているものの、未だ不安定であるため、足全体の支持が不十分となるので、ヒールカップ部Ｃ１５によって、踵骨を垂直に支持し、後足部を支持することが必要である。
【００３８】
図１２（Ａ）、（Ｂ）、（Ｃ）に示すように、概ね６〜７歳程度の足骨格を構成するのは、基本的に成人と同様であるが、その骨は発達途上であり、特に第１末節骨５３、第１基節骨４３、第２末節骨５７、第２中節骨５５、第２基節骨４５、第３末節骨６１、第３中節骨５９、第３基節骨４７、第４末節骨６５、第４中節骨６３、第４基節骨４９、第５末節骨６９、第５中節骨６７、第５基節骨５１、第１中足骨１７、第２中足骨１９、第３中足骨２１、第４中足骨２３、第５中足骨２５では、骨端部７７が出現し、骨幹部７９とは骨端軟骨８１による軟骨性結合であるため強度が弱く、第１楔状骨９、第２楔状骨１１、第３楔状骨１３、立方骨１５、舟状骨７、距骨１、踵骨３は出現しているものの、その骨形状は丸く、強固な関節を構成するには至っていないことが特徴である。
【００３９】
従って、図６および図７（Ａ）、（Ｂ）、（Ｃ）に示すように、足を構成する全ての骨が出現しているため、この状態が基本となって成長することになり、この時期から次第に足骨格の基本構造である３つのアーチを正しい位置に保持することが重要で、
成人では内側縦アーチＣ４を保持するために、その頂点を構成する舟状骨７の直下に、内側縦アーチ部Ｃ１１の頂点を位置させるが、発達途上の骨形状は強固な関節を構成しないため、
内側縦アーチＣ４の中央部付近に、その頂点を位置させ、全体的に内側縦アーチＣ４を保持するようにし、足が内倒れしない機能が要求され、
横アーチＣ３については、第１中足骨１７〜第５中足骨２５間を連結する靭帯や筋肉が発達途上であり、骨端部７７も出現して基本的な骨構造を呈してくるため、横アーチ部Ｃ９により圧迫を加えて、横アーチＣ３の正しい形成を促進させ、
外側縦アーチＣ５については、これを構成する立方骨１５が成長しているので、骨配列を保持するための外側縦アーチ部Ｃ１３の圧迫により、足が外倒れしない機能が要求され、内側縦アーチ部Ｃ１１と外側縦アーチ部Ｃ１３が足を両側から挟み込むようにして、安定性を増加させることが必要である。
【００４０】
立位および歩行時に重要となる踵、つまり踵骨３は、相当発達してきているものの、未だ不安定であるため、足全体の支持が不十分となるので、ヒールカップ部Ｃ１５によって、踵骨３を垂直に支持し、後足部７５を支持することが必要である。
【００４１】
図１３（Ａ）、（Ｂ）、（Ｃ）に示すように、概ね８〜１０歳程度の足骨格を構成するのは、基本的に成人と同様であるが、その骨は発達途上であり、すでに成人の小型の形状を呈し、特に第１末節骨５３、第１基節骨４３、第２末節骨５７、第２中節骨５５、第２基節骨４５、第３末節骨６１、第３中節骨５９、第３基節骨４７、第４末節骨６５、第４中節骨６３、第４基節骨４９、第５末節骨６９、第５中節骨６７、第５基節骨５１、第１中足骨１７、第２中足骨１９、第３中足骨２１、第４中足骨２３、第５中足骨２５では、骨端部７７が発達し、骨幹部７９とは骨端軟骨８１による軟骨性結合であるものの、ある程度の強度があり、第１楔状骨９、第２楔状骨１１、第３楔状骨１３、立方骨１５、舟状骨７、距骨１、踵骨３は、強固な関節を構成するには至っていないが、ある程度の強度があり、成人に準じた状態であることが特徴である。
【００４２】
従って、図８および図９（Ａ）、（Ｂ）、（Ｃ）に示すように、足を構成する全ての骨が成人に準じた強度があるため、基本的な骨格構造は、この年代から次第に決定づけられるため、足骨格の基本構造である３つのアーチを保持して骨格の崩れを防止することが重要で、
成人に準じて、内側縦アーチＣ４を保持するために、その頂点を構成する舟状骨７の直下付近に、内側縦アーチ部Ｃ１１の頂点を位置させ、全体的に内側縦アーチＣ４を保持するようにし、足が内倒れしない機能が要求され、
横アーチＣ３については、第１中足骨１７〜第５中足骨２５間を連結する靭帯や筋肉が発達し、基本的な骨構造は完成しつつあり、横アーチ部Ｃ９により圧迫を加えて、横アーチＣ３を保持して骨格の崩れを防止し、
外側縦アーチＣ５については、これを構成する基本的な骨構造は完成しつつあり、外側縦アーチ部Ｃ１３の圧迫により、外側縦アーチＣ５を保持して骨格の崩れを防止し、足が外倒れしない機能が要求され、内側縦アーチ部Ｃ１１と外側縦アーチ部Ｃ１３が足を両側から挟み込むようにして、安定性を増加させることが必要である。
【００４３】
立位および歩行時に重要となる踵、つまり踵骨３は完成しつつあるが、踵骨３の大きさと、関節結合強度が発達途上であるため、足全体の支持が不十分となるので、ヒールカップ部Ｃ１５によって、踵骨３を垂直に支持し、後足部を支持することが必要である。
【００４４】
さらに、これらの履き物用中敷きは、これ単独で使用されるものではなく、履き物と合一されることにより、その効果を発揮するものであるから、請求項１〜６による履き物用中敷きは、請求項７による履き物に内蔵した子供用履き物として使用されることを要する。
【００４５】
概ね１〜２歳児用の履き物用中敷きをさらに図２および図３（Ａ）〜（Ｄ）を用いて詳細に説明すると、図３（Ｂ）は、図３（Ａ）のＢ−Ｂ’線に沿った中敷き内側寄りの長軸方向の断面図で、内側アーチ部Ｃ１１は、足裏面から中足部７３を軽度圧迫する程度で、足骨格に影響を与えない高さと形状で、高さは６〜１２ｍｍ程度、形は半楕円形であり、
図３（Ｃ）は、図３（Ａ）のＣ−Ｃ’線に沿った中敷き中央部の長軸方向の断面図で、横アーチ部Ｃ９は、足裏面から軟部組織を圧迫するが、第１中足骨１７から第５中足骨２５で構成される足骨格の横アーチＣ３を矯正しない程度の高さと形状で、高さは１〜５ｍｍ程度、形はほぼ卵円形であり、
図３（Ｄ）は、図３（Ａ）のＤ−Ｄ’線に沿った中敷き外側寄りの長軸方向の断面図で、外側縦アーチ部Ｃ１３の凸形状は不要であり、
ヒールカップ部Ｃ１５は、主に踵を垂直に支持するような幅と深さを有し、幅は６〜１０ｍｍ程度、深さは６〜１２ｍｍ程度、形は第１中足骨骨頭２９の後から踵骨３の後を通って、第５中足骨骨頭３７の後まで外周を盛り上げた構造になっており、
これらの形状が互いに滑らかな曲面でつながっており、
中敷き全体が子どもの足裏寸法に適合していることを特徴とする履き物用中敷きで、
この子供履き物用中敷きは、２層構造となっていて、表は織物、編み物、不織布などの生地や、合成皮革あるいは天然皮革からなっていると共に裏は弾性体またはコルクからなる基材で構成されている。また、この中敷きを内蔵した、子供用履き物に使用できる。
【００４６】
図４および図５（Ａ）、（Ｂ）、（Ｃ）、（Ｄ）は、概ね３〜５歳児用の履き物用中敷きで、
図５（Ｂ）は、図５（Ａ）のＢ−Ｂ’線に沿った中敷き内側寄りの長軸方向の断面図で、内側アーチ部Ｃ１１は、足裏面から中足部７３を整える程度の高さと形状で、高さは１０〜１４ｍｍ程度、形は半楕円形であり、
図５（Ｃ）は、図５（Ａ）のＣ−Ｃ’線に沿った中敷き中央部の長軸方向の断面図で、横アーチ部Ｃ９は、足裏面から軟部組織を圧迫するが、第１中足骨１７から第５中足骨２５で構成される足骨格の横アーチＣ３を整える程度の高さと形状で、高さは３〜７ｍｍ程度、形はほぼ卵円形であり、
図５（Ｄ）は、図５（Ａ）のＤ−Ｄ’線に沿った中敷き外側寄りの長軸方向の断面図で、外側縦アーチ部Ｃ１３は、足裏面から後足部７５を整える程度の高さと形状で、高さは１０〜１４ｍｍ程度、形は半楕円形であり、
ヒールカップ部Ｃ１５は、踵を垂直に支持するような幅と深さを有し、幅は８〜１２ｍｍ程度、深さは８〜１４ｍｍ程度、形は第１中足骨骨頭２９の後から踵骨３の後を通って、第５中足骨骨頭３７の後まで外周を盛り上げた構造になっており、
これらの形状が互いに滑らかな曲面でつながっており、
中敷き全体が子供の足裏寸法に適合していることを特徴とする履き物用中敷きで、
この子供履き物用中敷きは、２層構造となっていて、表は織物、編み物、不織布などの生地や、合成皮革あるいは天然皮革からなっていると共に裏は弾性体またはコルクからなる基材で構成されている。また、この中敷きを内蔵した、子供用履き物に使用できる。
【００４７】
図６および図７（Ａ）、（Ｂ）、（Ｃ）、（Ｄ）は、概ね６〜７歳児用の履き物用中敷きで、
図７（Ｂ）は、図７（Ａ）のＢ−Ｂ’線に沿った中敷き内側寄りの長軸方向の断面図で、内側アーチ部Ｃ１１は、足裏面から中足部７３を保持する程度の高さと形状で、高さは１２〜１６ｍｍ程度、形は半円形であり、
図７（Ｃ）は、図７（Ａ）のＣ−Ｃ’線に沿った中敷き中央部の長軸方向の断面図で、横アーチ部Ｃ９は、足裏面から軟部組織を圧迫するが、第１中足骨１７から第５中足骨２５で構成される足骨格の横アーチＣ３を保持する程度の高さと形状で、高さは５〜９ｍｍ程度、形はほぼ卵円形であり、
図７（Ｄ）は、図７（Ａ）のＤ−Ｄ’線に沿った中敷き外側寄りの長軸方向の断面図で、外側縦アーチ部Ｃ１３は、足裏面から後足部７５を保持する程度の高さと形状で、高さは１２〜１６ｍｍ程度、形は半楕円形であり、
ヒールカップ部Ｃ１５は、踵を垂直に支持し、後足部７５を支持するような幅と深さを有し、幅は１０〜１４ｍｍ程度、深さは１０〜１６ｍｍ程度、形は第１中足骨骨頭２９の後から踵骨３の後を通って、第５中足骨骨頭３７の後まで外周を盛り上げた構造になっており、
これらの形状が互いに滑らかな曲面でつながっており、
中敷き全体が子供の足裏寸法に適合していることを特徴とする子供履き物用中敷きで、
この子供履き物用中敷きは、２層構造となっていて、表は織物、編み物、不織布などの生地や、合成皮革あるいは天然皮革からなっていると共に裏は弾性体またはコルクからなる基材で構成されている。また、この中敷きを内蔵した、子供用履き物に使用できる。
【００４８】
図８および図９（Ａ）、（Ｂ）、（Ｃ）、（Ｄ）は、概ね８〜１０歳児用の履き物用中敷きで、
図９（Ｂ）は、図９（Ａ）のＢ−Ｂ’線に沿った中敷き内側寄りの長軸方向の断面図で、内側アーチ部Ｃ１１は、足裏面から中足部７３を保持して骨格の崩れを防止する程度の高さと形状で、高さは１４〜１８ｍｍ程度、形は半円形であり、
図９（Ｃ）は、図９（Ａ）のＣ−Ｃ’線に沿った中敷き中央部の長軸方向の断面図で、横アーチ部Ｃ９は、足裏面から軟部組織を圧迫し、第１中足骨１７から第５中足骨２５で構成される足骨格の横アーチＣ３を保持して骨格の崩れを防止する程度の高さと形状で、高さは７〜１１ｍｍ程度、形はほぼ卵円形であり、
図９（Ｄ）は、図９（Ａ）のＤ−Ｄ’線に沿った中敷き外側寄りの長軸方向の断面図で、外側縦アーチ部Ｃ１３は、足裏面から後足部７５を保持して骨格の崩れを防止する程度の高さと形状で、高さは１４〜１８ｍｍ程度、形は半楕円形であり、
ヒールカップ部Ｃ１５は、踵を垂直に支持し、後足部７５を支持するような幅と深さを有し、幅は１２〜１６ｍｍ程度、深さは１２〜１８ｍｍ程度、形は第１中足骨骨頭２９の後から踵骨３の後を通って、第５中足骨骨頭３７の後まで外周を盛り上げた構造になっており、
これらの形状が互いに滑らかな曲面でつながっており、
中敷き全体が子供の足裏寸法に適合していることを特徴とする履き物用中敷きで、
この子供履き物用中敷きは、２層構造となっていて、表は織物、編み物、不織布などの生地や、合成皮革あるいは天然皮革からなっていると共に裏は弾性体またはコルクからなる基材で構成されている。また、この中敷きを内蔵した、子供用履き物に使用できる。
【００４９】
なお、前記弾性体とはスポンジ、エラストマ−のような弾力性のある素材ことである。
【００５０】
市販の子供用履き物のサイズの多くは、１ｃｍ刻みであるため、その中間サイズ、例えば１６ｃｍと１７ｃｍの間の１６．５ｃｍのように、０．５ｃｍ刻みの微調整ができれば、成長する子供足に一層適合した履き物として例えば靴を使用させることができる。
【００５１】
そこで、図１６に示すように、前記各成長段階別の中敷き８３を、履き物としての例えば靴の中底の上に敷いて、各サイズ調整シート８５を、例えば靴の中底と中敷き８３との間に挿入して、子供用履き物に使用した場合、成長によって靴がきつくなった時点で、サイズ調整シート８５を抜き去ると、例えば０．５ｃｍ刻みの微調整ができる。そして、サイズ調整シート８５を重ねて使用する位置関係で、サイズ調整シート８５の大きさと形状は、上に重ねて使用する成長段階別履き物用中敷き８３の平面投影図とほぼ同じ寸法で、厚みは１〜３ｍｍ程度、材質は例えば上面が織布、底面が発泡ラテックスの２層構造となっている。
【図面の簡単な説明】
【００５２】
【図１】足の３つのアーチと各パッド部を示した斜視図である。
【図２】概ね０〜２歳を対象とした履き物用中敷きの平面図である。
【図３】（Ａ）は概ね０〜２歳を対象とした履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図４】概ね３〜５歳を対象とした履き物用中敷きの平面図である。
【図５】（Ａ）は概ね３〜５歳を対象とした履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図６】概ね６〜７歳を対象とした履き物用中敷きの平面図である。
【図７】（Ａ）は概ね６〜７歳を対象とした履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図８】概ね８〜１０歳を対象とした履き物用中敷きの平面図である。
【図９】（Ａ）は概ね８〜１０歳を対象とした履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図１０】（Ａ）は概ね０〜２歳の足骨格の背面図、（Ｂ）は（Ａ）の外面図、（Ｃ）は（Ａ）の内面図である。
【図１１】（Ａ）は概ね３〜５歳の足骨格の背面図、（Ｂ）は（Ａ）の外面図、（Ｃ）は（Ａ）の内面図である。
【図１２】（Ａ）は概ね６〜７歳の足骨格の背面図、（Ｂ）は（Ａ）の外面図、（Ｃ）は（Ａ）の内面図で、番号のない小骨は骨端部である。
【図１３】（Ａ）は概ね８〜１０歳の足骨格の背面図、（Ｂ）は（Ａ）の外面図、（Ｃ）は（Ａ）の内面図で、番号のない小骨は骨端部である。
【図１４】（Ａ）は成人の足骨格の背面図、（Ｂ）は（Ａ）の外面図、（Ｃ）は（Ａ）の内面図である。
【図１５】（Ａ）、（Ｂ）、（Ｃ）は長管骨の成長の模式図である。
【図１６】履き物用中敷きと履き物と履き物用中敷きとの間に挿入して使用されるサイズ調整シートを表した斜視図である。
【符号の説明】
【００５３】
１  距骨
３  踵骨
５  踵骨載距突起
７  舟状骨
９  第１楔状骨
１１  第２楔状骨
１３  第３楔状骨
１５  立方骨
１７  第１中足骨
１９  第２中足骨
２１  第３中足骨
２３  第４中足骨
２５  第５中足骨
２７  第５中足骨骨底
２９  第１中足骨頭
３１  第２中足骨頭
３３  第３中足骨頭
３５  第４中足骨頭
３７  第５中足骨頭
４３  第１基節骨
４５  第２基節骨
４７  第３基節骨
４９  第４基節骨
５１  第５基節骨
５３  第１末節骨
５５  第２中節骨
５７  第２末節骨
５９  第３中節骨
６１  第３末節骨
６３  第４中節骨
６５  第４末節骨
６７  第５中節骨
６９  第５末節骨
７１  前足部
７３  中足部
７５  後足部
７７  骨端部
７９  骨幹部
８１  骨端軟骨
８３  履き物用中敷き
８５  サイズ調整シート
Ｃ３  横アーチ
Ｃ４  内側縦アーチ
Ｃ５  外側縦アーチ
Ｃ９  横アーチ部
Ｃ１１  内側縦アーチ部
Ｃ１３  外側縦アーチ部
Ｃ１５  ヒールカップ部
【図１】
2005110774.tif 000003
【図２】
2005110774.tif 000004
【図３】
2005110774.tif 000005
【図４】
2005110774.tif 000006
【図５】
2005110774.tif 000007
【図６】
2005110774.tif 000008
【図７】
2005110774.tif 000009
【図８】
2005110774.tif 000010
【図９】
2005110774.tif 000011
【図１０】
2005110774.tif 000012
【図１１】
2005110774.tif 000013
【図１２】
2005110774.tif 000014
【図１３】
2005110774.tif 000015
【図１４】
2005110774.tif 000016
【図１５】
2005110774.tif 000017
【図１６】
2005110774.tif 000018